(57)【要約】【課題】  かご床平面における適所にかご下装着機器を容易に装着することができるエレベーターのかご床装置を得る。【解決手段】  かご床１を防振体３により防振支持したかご床支持枠２の下面を覆って底面板３を装着する。そして、底面板３に設けた多数の貫通孔４のうち適所のものを介して、かご下装着機器をかご床１に対する水平面方向において適所にそれぞれ装着する。  これによって、かご床１のサイズ、エレベーターのつり合おもり位置、釣合ケーブルサイズによって、かご下装着機器それぞれのかご下での取付位置が相違するものの、取付腕等の取付用部材を使用せずそれら部材の種類数増による生産性低下を解消し、またかご下装着機器を適所に装着できかご下装着機器による所要作用の実現を容易化する。【選択図】        図１
2005162349.tif 000002
【特許請求の範囲】
【請求項１】
エレベーターの主索に吊持されたかご枠内に配置されたかご床と、鋼材が水平投影面においてロ字状に組立てられて上記かご枠の下端部に設けられたかご床支持枠と、このかご床支持枠の上面に設けられて上記かご床を支持した防振体と、上記エレベーターのかご下装着機器を取付ける多数の貫通孔が設けられ、上記かご床支持枠に装着され上記かご床支持枠の下面を覆って配置された底面板とを備えたエレベーターのかご床装置。
【請求項２】
かご床支持枠内に設けられて、このかご床支持枠と一体的に構成された非常止め装置を備えたことを特徴とする請求項１記載のエレベーターのかご床装置。
【発明の詳細な説明】
【技術分野】
【０００１】
この発明は、主索に吊持されたかご枠内に配置されてかごの要部を形成するエレベーターのかご床装置に関する。
【背景技術】
【０００２】
従来のエレベーターのかご床装置においては、エレベーターの主索に吊持されたかご枠の下端にかご床支持枠が設けられて、このかご床支持枠の上に防振ゴムを介してかご床が支持される。そして、取付腕がかご床支持枠に設けられて対応した取付腕に補償ロープ、テールコードがそれぞれ吊持され、またかご床支持枠に設けられた取付台にバランス補正装置が取付けられる。（例えば、特許文献１参照）。
【０００３】
【特許文献１】特開２００１−１３９２３９号公報（第４頁、図１）
【発明の開示】
【発明が解決しようとする課題】
【０００４】
従来のエレベーターのかご床装置では、かご床支持枠に設けられた取付腕を介して補償ロープ等が吊持され、またかご床支持枠に設けられた取付台によりバランス補正装置が取付けられる。このため、かご床支持枠に対応した水平投影面において補償ロープ、バランス補正装置等のかご下装着機器の配置位置が制約される。なお、かご下装着機器はかご床サイズ、エレベーターのつり合おもり位置、釣合ケーブルサイズによってかご下における取付位置が異なる。
【０００５】
このため、取付腕等の種類数が増し生産性が低下するという問題点があった。また、かご床平面におけるかごのバランスを調整するかごバランス補正おもりがかご下に装着される。しかし、かご下におけるかごバランス補正おもりの取付位置が限定されるためかごバランスが補正しきれなくなるという問題点があった。
【０００６】
この発明は、かかる問題点を解消するためになされたものであり、かご床平面における適所にかご下装着機器を容易に装着することができるエレベーターのかご床装置を得ることを目的とする。
【課題を解決するための手段】
【０００７】
この発明に係るエレベーターのかご床装置においては、エレベーターの主索に吊持されたかご枠内に配置されたかご床と、鋼材が水平投影面においてロ字状に組立てられてかご枠の下端部に設けられたかご床支持枠と、このかご床支持枠の上面に設けられてかご床を支持した防振体と、エレベーターのかご下装着機器を取付ける多数の貫通孔が設けられてかご床支持枠に、それの下面を覆って装着された底面板とが設けられる。
【発明の効果】
【０００８】
この発明によるエレベーターのかご床装置は、かご床を防振体によって防振支持したかご床支持枠の下面を覆って底面板が装着される。そして、底面板に設けられた多数の貫通孔のうち適所に対応した貫通孔を介して、かご下装着機器がかご床に対する水平面方向における適所にそれぞれ装着される。これによって、かご下装着機器はかご床のサイズ、エレベーターのつり合おもり位置、釣合ケーブルサイズによってかご下における取付位置が異なるものの、取付腕等の取付用部材を使用しないので取付用部材の種類数が増し生産性が低下する問題を解消できる。また、かご下装着機器の取付位置が限定されることがなく適所に装着できて、かご下装着機器による所要作用の実現を容易化する効果がある。
【発明を実施するための最良の形態】
【０００９】
実施の形態１．
図１〜図６は、この発明の実施の形態を示す図で、図１はエレベーターのかご下部の側面図、図２は図１のＡ−Ａ線断面図、図３は図１を下から見た図、図４は図１の要部拡大図、図５は図１の底面板における取付金具の締結状態を示す斜視図、図６は図１の他の要部拡大図である。図において、図示が省略してあるがエレベーターの主索に吊持されたかご枠内にかご床１が配置される。
【００１０】
そして、鋼材が水平投影面においてロ字状に組立てられて構成されたかご床支持枠２がかご枠の下端部に連結され、またかご床支持枠２の上面に防振ゴムからなる防振体３が設けられてかご床１を防振支持する。また、等間隔に多数の貫通孔４が設けられた底面板５が、かご床支持枠２の下面を覆ってかご床支持枠２に装着される。そして、底面板５の下に非常止め装置６が配置されてかご床支持枠２に締結される。
【００１１】
また、Ｌ字形をなす取付金具７のＬ字の一辺８にナット９が溶接され、またＬ字の他辺１０に取付孔１１が設けられて、取付金具７のＬ字の一辺８が底面板５の下側から適宜な位置の貫通孔４に挿入される。これによって図５に示す状態となり、底面板５の下側からボルトからなる締結具１２がナット９にねじ込まれて、図４に示すように取付金具７が底面板５に締結される。
【００１２】
なお、取付金具７のＬ字の一辺８にナット９を溶接する構成に代えて、取付金具７のＬ字の一辺８にナット９に相当したねじ穴を設け、取付金具７を底面板５に締結する構造とすることもできる。この構成において取付金具７の幅を、ナット９の外径に相当する寸法よりも短くすることができ、底面板５の貫通孔４の直径を小さくすることができる。
【００１３】
そして、底面板５に締結されて底面板５の水平面方向における適所に配置された取付金具７に、それの取付孔１１を介してかご下装着機器が装着される。なお、かご下装着機器として図４、図６に示すようにつり合ロープからなるつり合条体１３、かごバランス補正おもり１４、適宜なオプション機器１５が装着される。
【００１４】
上記のように構成されたエレベーターのかご床装置において、かご床１を防振体３によって防振支持したかご床支持枠２の下面を覆って底面板５が装着される。そして、底面板５に設けられた多数の貫通孔４のうち適所に対応した貫通孔４を介して、取付金具７が締結具１２によって締結され、底面板５の水平面方向における適所に配置される。これにより、つり合条体１３、かごバランス補正おもり１４、オプション機器１５等のかご下装着機器がかご床１に対する水平面方向における適所にそれぞれ装着される。
【００１５】
これによって、かご下装着機器はかご床１のサイズ、エレベーターのつり合おもり位置、釣合ケーブルサイズによってかご下における取付位置が異なるものの、取付腕等の取付用部材を使用しないので、取付用部材の種類数が増し生産性が低下するという問題を解消することができる。また、かご下装着機器の取付位置が限定されることがなく適所に装着でき、かご下装着機器による所要の作用を容易に得ることができる。
【００１６】
実施の形態２．
図７は、この発明の他の実施の形態を示す図で、前述の図１相当図である。なお、図７の他は前述の図１〜図６と同様にエレベーターのかご床装置が構成されている。図において、非常止め装置１６がかご床支持枠２内に設けられて、非常止め装置１６の枠状をなす基体がかご床支持枠２と一体に製作され、非常止め装置１６がかご床支持枠２と一体的に構成される。
【００１７】
上記のように構成されたエレベーターのかご床装置においても、かご床支持枠２の下面を覆って底面板５が装着されて多数の貫通孔４を介して、取付金具７が締結され底面板５の水平面方向における適所に配置される。そして、かご下装着機器が取付金具７によってかご床１に対する水平面方向における適所にそれぞれ装着される。したがって、詳細な説明を省略するが図７の実施の形態においても図１〜図６の実施の形態と同様な作用が得られる。
【００１８】
また、かご床支持枠２と非常止め装置１６とが一体的に製作されるので、かご床１の床面から非常止め装置１６の下面までの距離を短くすることができる。このため、図示が省略してあるがエレベーター昇降路のピットを浅くすることができて、エレベーター昇降路の構築費を低減することができる。
【図面の簡単な説明】
【００１９】
【図１】この発明の実施の形態１を示す図であり、エレベーターのかご下部の側面図。
【図２】図１のＡ−Ａ線断面図。
【図３】図１を下から見た図。
【図４】図１の要部拡大図。
【図５】図１の底面板における取付金具の締結状態を示す斜視図。
【図６】図１の他の要部拡大図。
【図７】この発明の実施の形態２を示す図で、前述の図１相当図。
【符号の説明】
【００２０】
１  かご床、２  かご床支持枠、３  防振体、４  貫通孔、５  底面板、１３  つり合条体（かご下装着機器）、１４  かごバランス補正おもり（かご下装着機器）、１５  オプション機器（かご下装着機器）、１６  非常止め装置。
【図１】
2005162349.tif 000003
【図２】
2005162349.tif 000004
【図３】
2005162349.tif 000005
【図４】
2005162349.tif 000006
【図５】
2005162349.tif 000007
【図６】
2005162349.tif 000008
【図７】
2005162349.tif 000009